(57)【要約】【課題】  多くのユーザが移動体キャリアのサービスをエリア外でも容易に利用することができる移動体通信システムおよびダイヤルアップアクセスポイントを提供する。【解決手段】  移動端末１４は固定ネットワーク１２を通してダイヤルアップアクセスポイント１０に接続され、そこで認証されれば固定ネットワーク１２の回線を通して移動体通信ネットワーク１１に接続される。ダイヤルアップアクセスポイント１０は認証された移動端末にＩＰアドレスを割り当てることで、移動端末がエリア外であっても、エリア内と同様に移動体通信キャリアが提供するサービスを受けることができる。【選択図】      図１
2006086772.tif 000002
【特許請求の範囲】
【請求項１】
加入者データを登録した移動端末に対してサービスを提供する移動体通信システムにおいて、
移動体通信ネットワークに接続され、固定ネットワークからのダイヤルアップ接続が可能なダイヤルアップアクセスポイントを設け、
前記ダイヤルアップアクセスポイントは、
前記固定ネットワークに接続された前記移動端末からのアクセス要求を受信すると、当該移動端末の前記加入者データにより認証を行う認証手段と、
前記認証手段により認証されると、前記移動端末が接続された前記固定ネットワークの回線と前記移動体通信ネットワークとを接続する接続手段と、
を有する、
ことを特徴とする移動体通信システム。
【請求項２】
前記ダイヤルアップアクセスポイントは、さらに、前記認証手段により認証された前記移動端末に対して、前記移動体通信ネットワークに接続して前記サービスを受けるためのＩＰアドレスを割り当てるＩＰアドレス割当手段を有することを特徴とする請求項１に記載の移動体通信システム。
【請求項３】
移動体通信ネットワークと固定ネットワークとの間に接続されたダイヤルアップアクセスポイントにおいて、
前記固定ネットワークに接続された移動端末からのアクセス要求を受信すると、当該移動端末の加入者データにより認証を行う認証手段と、
前記認証手段により認証されると、前記移動端末が接続された前記固定ネットワークの回線と前記移動体通信ネットワークとを接続する接続手段と、
を有することを特徴とするダイヤルアップアクセスポイント。
【請求項４】
さらに、前記認証手段により認証された前記移動端末に対して、前記移動体通信ネットワークに接続して前記サービスを受けるためのＩＰアドレスを割り当てるＩＰアドレス割当手段を有することを特徴とする請求項３に記載のダイヤルアップアクセスポイント。
【請求項５】
加入者データを登録した移動端末に対してサービスを提供する移動体通信方法において、
移動体通信ネットワークと固定ネットワークとの間に接続されたダイヤルアップアクセスポイントは前記固定ネットワークに接続された前記移動端末からのアクセス要求を受信し、
前記アクセス要求に含まれる前記移動端末の前記加入者データにより認証を行い、
認証されると、前記移動端末が接続された前記固定ネットワークの回線と前記移動体通信ネットワークとを接続し、
前記移動通信ネットワークのキャリアは前記ダイヤルアップアクセスポイントを通して前記移動端末に前記サービスを提供する、
ことを特徴とする移動体通信方法。
【請求項６】
前記ダイヤルアップアクセスポイントは、認証された前記移動端末に対して、前記移動体通信ネットワークに接続して前記サービスを受けるためのＩＰアドレスを割り当てることを特徴とする請求項５に記載の移動体通信方法。
【請求項７】
コンピュータを、移動体通信ネットワークと固定ネットワークとの間に接続されたダイヤルアップアクセスポイントとして動作させるためのプログラムにおいて、
前記固定ネットワークに接続された前記移動端末からのアクセス要求を受信するステップと、
前記アクセス要求に含まれる前記移動端末の前記加入者データにより認証を行うステップと、
認証されると、前記移動端末が接続された前記固定ネットワークの回線と前記移動体通信ネットワークとを接続するステップと、
を有することを特徴とするプログラム。
【請求項８】
さらに、認証された前記移動端末に対して、前記移動体通信ネットワークに接続して前記サービスを受けるためのＩＰアドレスを割り当てるステップを有することを特徴とする請求項７に記載のプログラム。
【発明の詳細な説明】
【技術分野】
【０００１】
本発明は移動体通信システムに係り、特に通信サービスエリア外でも移動体キャリアが提供するサービスを利用可能にする移動体通信システム、移動体通信方法およびそのダイヤルアップアクセスポイントに関する。
【背景技術】
【０００２】
近年、携帯電話に代表される移動体通信システムではポータルサイトアクセスや電子メールなど多彩なサービスが提供されるようになっており、利用者数も増加し続けている。このような移動体通信では、移動端末がサービスエリア内に位置するときには所望のサービスを受けることができるが、サービスエリア外では全く通信ができなくなる。そこで、エリア外でもサービス提供を可能にする技術が種々提案されている。
【０００３】
たとえば、特開２００４−４０６７６号公報には、携帯電話のサービスエリア外に近距離無線システムのアクセスポイントを設け、この近距離無線インタフェースを通して電話局に接続し、通話やパケット通信を可能にする携帯電話システムが開示されている（段落００２８〜００３０、図１参照）。
【０００４】
【特許文献１】特開２００４−４０６７６号公報（段落００２８〜００３０、図１参照）
【発明の開示】
【発明が解決しようとする課題】
【０００５】
しかしながら、上記従来の携帯電話システムでは、エリア外の必要な場所ごとに近距離無線アクセスポイントを設置する必要がある。より多くのユーザの便宜を図るためには、エリア外のできるだけ多くの場所に設置するのが望ましいが、設置数にしたがってコストが増大するという問題がある。また、当該サービスを利用しようとすると、ユーザはそのたびに近距離無線アクセスポイントが設置された場所に出向く必要がある。
【０００６】
本発明の目的は、多くのユーザが移動体キャリアのサービスをエリア外でも容易に利用することができる移動体通信システム、移動体通信方法およびダイヤルアップアクセスポイントを提供することにある。
【課題を解決するための手段】
【０００７】
本発明によれば、加入者データを登録した移動端末に対してサービスを提供する移動体通信システムは、移動体通信ネットワークに接続され固定ネットワークからのダイヤルアップ接続が可能なダイヤルアップアクセスポイントを有し、前記ダイヤルアップアクセスポイントは、前記固定ネットワークに接続された前記移動端末からのアクセス要求を受信すると、当該移動端末の前記加入者データにより認証を行う認証手段と、前記認証手段により認証されると、前記移動端末が接続された前記固定ネットワークの回線と前記移動体通信ネットワークとを接続する接続手段と、を有することを特徴とする。
【０００８】
前記ダイヤルアップアクセスポイントは、さらに、前記認証手段により認証された前記移動端末に対して、前記移動体通信ネットワークに接続して前記サービスを受けるためのＩＰアドレスを割り当てるＩＰアドレス割当手段を有することを特徴とする。
【発明の効果】
【０００９】
本発明によれば、移動端末を固定ネットワークを通してダイヤルアップアクセスポイントに接続し、認証されれば、固定ネットワークの回線を通して移動体通信ネットワークにアクセスすることができる。したがって、エリア外であっても、エリア内と同様に移動体通信キャリアが提供するサービスを受けることができる。
【００１０】
また、ユーザの識別情報は固定ネットワークの回線を通してダイヤルアップアクセスポイントへ送信されるだけであり、インターネットを通ることはないので、高いセキュリティを確保することができる。
【００１１】
本発明によれば、固定ネットワークにダイヤルアップアクセスポイントを設けるだけでアクセス要求が増大しても容易に対応することができ、低い設備投資で大きな効果を得ることができる。ユーザにとっても、公衆電話交換網のような固定ネットワークにモデムを介して接続するだけで、エリア外であっても容易に移動体通信ネットワークに接続することができる。
【発明を実施するための最良の形態】
【００１２】
図１は、本発明の一実施形態による移動体通信システムのネットワーク構成図である。本実施形態によれば、少なくとも１つのダイヤルアップアクセスポイント１０が移動体通信ネットワーク１１と固定ネットワーク１２との間に接続され、固定ネットワーク１２から移動体通信ネットワーク１１へのアクセスポイントとして機能する。移動体通信ネットワーク１１はインターネット１３にも接続し、電子メールやサイトアクセス等の種々のサービスを提供可能である。図１では、１つのダイヤルアップアクセスポイント１０が図示されているが、複数個設けることもできる。
【００１３】
利用者が所有する移動端末１４は、移動体通信ネットワーク１１のサービスエリア内であれば、無線基地局との通信によって当該移動体通信キャリアが提供する種々のサービスを享受することができる。しかしながら、電波状態が劣悪であるか、基地局からの電波が到達しないサービスエリア外である場合には、無線基地局を通して移動体通信ネットワーク１１に接続することができない。この場合、利用者は移動端末１４に固定ネットワークのダイヤルアップ接続用のモデム１５を接続し、固定ネットワーク１２を通してダイヤルアップアクセスポイント１０へダイヤルアップ接続する。ダイヤルアップアクセスポイント１０は、後述するように移動端末１４を認証すると、移動体通信ネットワーク１１への接続を許可する。
【００１４】
なお、移動端末１４にモデム１５が内蔵されていれば、そのまま固定ネットワーク１２に接続すればよい。また、モデム１５を内蔵したパーソナルコンピュータに移動端末１４を接続して同様にダイヤルアップ接続を行うことも可能である。いずれにしても、公衆電話交換網などの固定ネットワーク１２への接続は、オフィス、家庭あるいは街角の多くの場所で可能であるから、ユーザはサービスエリア外であってもダイヤルアップアクセスポイント１０を通して容易に移動体通信ネットワーク１１へ接続することができる。
【００１５】
図２は、本実施形態によるダイヤルアップアクセスポイントの構成を示す概略的ブロック図である。ダイヤルアップアクセスポイント１０は、インタフェース１０１および１０２によって移動体通信ネットワーク１１および固定ネットワーク１２にそれぞれ接続されている。ダイヤルアップアクセスポイント１０のアクセスポイント機能はプログラム制御プロセッサ１０３がプログラムを実行することにより実装される。プログラム制御プロセッサ１０３はＣＰＵなどである。
【００１６】
ダイヤルアップアクセスポイント１０には、さらに、ユーザ認証部１０４、ＩＰアドレス割当部１０５、スイッチ１０６、および、必要なプログラムを格納するプログラムメモリ１０７が設けられている。
【００１７】
ユーザ認証部１０４は、登録されたユーザの認証データ（電話番号や識別情報など）を記憶しており、移動端末１４から固定ネットワーク１２を通してアクセス要求があると、そのアクセス要求に含まれる加入者データ（登録された端末の電話番号、識別番号など）をチェックして当該移動体通信ネットワーク１１の加入者であるか否かを認証する。
【００１８】
ＩＰアドレス割当部１０５は利用可能なＩＰアドレスを用意しておき、認証されたアクセス要求に対して、移動体通信ネットワーク１１にアクセスするためのＩＰアドレスを割り当てて移動端末１４を移動体通信ネットワーク１１に接続可能にする。その移動端末１４が接続を切断すれば、当該ＩＰアドレスは解放される。
【００１９】
スイッチ１０６は、ダイヤルアップ接続された移動端末１４の回線と接続先の移動体通信ネットワーク１１との間でデータの送受信を可能にする。
【００２０】
プログラム制御プロセッサ１０３は、プログラムメモリ１０７に格納されたプログラムに従って、上述したようにユーザ認証部１０４、ＩＰアドレス割当部１０５およびスイッチ１０６を制御する。なお、ユーザ認証部１０４およびＩＰアドレス割当部１０５もプログラムにより実装可能である。以下、本実施形態の具体的な動作を説明する。
【００２１】
図３は本実施形態による移動体通信方法を説明するためのシーケンス図であり、図４は本実施形態によるシステムの一例を示すネットワーク構成図であり、図５〜図７はアクセス要求からデータ通信開始までの動作をそれぞれ説明するための模式的なネットワーク構成図である。なお、図４〜図７では、モデムが実装された移動端末１４とモデムが実装されていない移動端末１４ａとが例示されており、モデム実装移動端末１４はそのまま固定ネットワーク１２に接続可能であり、モデム非実装の移動端末１４ａは、専用のモデム１５あるいはモデム内蔵のパーソナルコンピュータ１６を利用して固定ネットワーク１２に接続する。
【００２２】
移動端末１４がサービスエリア外にあると、ユーザはモデム１５を接続して移動端末１４を固定ネットワーク１２に接続し、ダイヤルアップアクセスポイント１２の電話番号を用いて接続要求を送信する。ダイヤルアップアクセスポイント１２は、接続可能であれば、接続応答を返信し、移動端末１４とダイヤルアップアクセスポイント１２との間にダイヤルアップによる回線が確立される。回線が確立すると、移動端末１４は自身の加入者データ（ＩＤデータ）を含むアクセス要求をダイヤルアップアクセスポイント１２へ送信する（ステップＳ１、図５参照）。ただし、発呼時に移動端末１４の加入者番号を加入者データとして送信し、ダイヤルアップ接続をアクセス要求と解釈することも可能である。
【００２３】
アクセス要求を受信すると、ダイヤルアップアクセスポイント１２のユーザ認証部１０４は、受信した加入者データが既に登録されているか否かを判定し、登録済みであれば、移動体通信ネットワーク１１の加入者であると認証する（ステップＳ２、図５参照）。ユーザを特定する識別情報は固定ネットワーク１２を通して予め定められたダイヤルアップアクセスポイント１２へ送信され、そこでユーザ認証が行われるために、十分なセキュリティを確保することができる。
【００２４】
ユーザ認証されると、ＩＰアドレス割当部１０５は当該移動端末１４に対して移動体通信ネットワーク１１のサービス提供を可能にするＩＰアドレスを割り当て、移動端末１４へ送信する（ステップＳ３、図５参照）。そして、スイッチ１０６を通して移動端末１４が接続された固定ネットワーク１２の回線と移動体通信ネットワークとが接続される。
【００２５】
ＩＰアドレスを受け取ると、移動端末１４はそれを用いてダイヤルアップアクセスポイント１２を通して移動体通信ネットワーク１１に接続し、ポータルサイトのアクセスや電子メールサービスの提供を受けることができる（ステップＳ４、図６参照）。すなわち、移動端末１４は、エリア外にあっても、エリア内にあるときと同じサービスを移動通信キャリアから受けることができる。たとえば、ポータルサイトアクセスや電子メールサービスは、インターネット１３に接続することで提供される（ステップＳ４、図７参照）。その際、ダイヤルアップ接続を行うだけで、普段から利用しているコンテンツにアクセスすることができ、特別な操作を必要としない。
【００２６】
以上説明したように、本発明によれば、移動端末を固定ネットワークを通してダイヤルアップアクセスポイントに接続することで移動体通信ネットワークにアクセス可能である。したがって、エリア外であっても、エリア内と同様に移動体通信キャリアが提供するサービスを受けることができる。
【００２７】
本発明によれば、固定ネットワークにダイヤルアップアクセスポイントを設けるだけでアクセス要求が増大しても容易に対応することができ、低い設備投資で大きな効果を得ることができる。
【００２８】
また、ユーザの識別情報は固定ネットワークを通してダイヤルアップアクセスポイントへ送信されるだけであり、インターネットを通ることはないので、高いセキュリティを確保することができる。
【産業上の利用可能性】
【００２９】
本発明は自動車通信システムや携帯電話システムなどの移動体通信システムに適用可能であり、移動端末は携帯電話、ＰＨＳ、ＰＤＡなどの携帯情報通信端末、固定ネットワークは公衆電話交換網などである。
【図面の簡単な説明】
【００３０】
【図１】本発明の一実施形態による移動体通信システムのネットワーク構成図である。
【図２】本実施形態によるダイヤルアップアクセスポイントの構成を示す概略的ブロック図である。
【図３】本実施形態による移動体通信方法を説明するためのシーケンス図である。
【図４】本実施形態によるシステムの一例を示すネットワーク構成図である。
【図５】アクセス要求およびＩＰアドレス取得時の動作を説明するための模式的なネットワーク構成図である。
【図６】移動通信ネットワークとの接続を開始したときの動作を説明するための模式的なネットワーク構成図である。
【図７】移動通信ネットワークを介してインターネットと接続したときの動作を説明するための模式的なネットワーク構成図である。
【符号の説明】
【００３１】
１０  ダイヤルアップアクセスポイント
１１  移動体通信ネットワーク
１２  固定ネットワーク
１３  インターネット
１４  移動端末
１５  モデム
１６  モデム内蔵パーソナルコンピュータ
１０１、１０２  インタフェース
１０３  プログラム制御プロセッサ
１０４  ユーザ認証部
１０５  ＩＰアドレス割当部
１０６  スイッチ
１０７  プログラムメモリ
【図１】
2006086772.tif 000003
【図２】
2006086772.tif 000004
【図３】
2006086772.tif 000005
【図４】
2006086772.tif 000006
【図５】
2006086772.tif 000007
【図６】
2006086772.tif 000008
【図７】
2006086772.tif 000009